(57)【要約】      （修正有）【課題】ランドセルの後方への倒れを防止可能であるとともに製造コストを抑えることを可能にしたランドセルの肩ベルト上端取付環を提供する。【解決手段】ランドセルの背板上部に固定される取付ベースと取付ベースの正面側を覆う正面側ベース４を備える中空の取付環本体２と、上方部分を取付環本体の上方に延出させた状態で取付環本体内に回動自在に連結された、左右方向に延びる連結孔１５を有する連結部８が上端部に備えられた一対の連結用アーム６と、連結用アームの先端部を互いに近接する方向に付勢したスプリング１０と、ランドセルの肩ベルト上端が固定されるとともに下辺部分が連結孔内に挿入された略三角形状の一対の連結環１１と、を有する肩ベルト上端取付環１におき、一対の連結アームを金属製にして連結孔を楕円形状にし、連結孔内に挿入される連結環の部分を連結孔の形状に合わせて楕円形状にした。【選択図】図１
0003189741.tif 000002
【実用新案登録請求の範囲】
【請求項１】
ランドセルの背板の上部に取り付けられる取付ベース（３）と、該取付ベース（３）の正面側を覆う正面側ベース（４）と、を備える中空の取付環本体（２）と、
上方部分を前記取付環本体（２）の上方に延出させた状態で前記取付環本体（２）内に回動自在に連結された、左右方向に延びる連結孔（１５）を有する連結部（８）が上端部に備えられた一対の連結用アーム（６）と、
前記取付環本体（２）内に収容された、前記連結用アーム（６）の先端部を互いに近接する方向に付勢したスプリング（１０）と、
ランドセルの肩ベルトのそれぞれの上端が固定されるとともに、下辺部分が前記連結孔（１５）内に挿入された略三角形状の一対の連結環（１１）と、を有する背負い鞄の肩ベルト上端取付環（１）において、
前記一対の連結アーム（６）を金属製にするとともに、前記連結部（８）における連結孔（１５）を扁平な形状にし、
前記連結環（１１）における前記連結孔（１５）内に挿入される部分を前記連結孔（１５）の形状に合わせて扁平な形状にすることで、連結部（８）に対して連結環（１１）が回動することを阻止した、ことを特徴とするランドセルの肩ベルト上端取付環。
【請求項２】
前記連結環（１１）における前記肩ベルトが固定される上辺部分に肩ベルトの回動を阻止するための回動阻止辺（１６）を突設したことを特徴とする請求項１に記載のランドセルの肩ベルト上端取付環。
【請求項３】
先端部に掛止環（１８）を有した掛止部（１７）を、下方部分を前記取付環本体（２）内に挿入するとともに、上下方向に移動自在に前記取付環本体（２）に係止した、ことを特徴とする請求項１又は請求項２に記載のランドセルの肩ベルト上端取付環。
【考案の詳細な説明】
【技術分野】
【０００１】
本発明は、ランドセルの肩ベルト上端取付環に係り、より詳しくは、ランドセルの後方への倒れを防止可能としたランドセルの肩ベルト上端取付環に関する。
【背景技術】
【０００２】
周知のように、ランドセルは肩ベルトのみによって児童の体に支持されるが、このとき、肩ベルトの長さが最適であり、従って肩ベルトのほぼ全体が児童の体にフィットしていれば、ランドセルの重量による負荷は、肩ベルトを介して肩ベルトに当接している児童のからだ全体に加わり、これにより児童が受けるランドセルの重さ感は少なくなる。
【０００３】
しかしながら、特に入学間もない低学年の場合は体の大きさに対して肩ベルトを含んだランドセル全体が大きいために、また、肩ベルトの長さが短すぎるとランドセルを背負う動作及びこれを降ろす動作をスムーズに行うことができないため、特に低学年の場合は、肩ベルトが少し長めになってしまうことが一般的である。
【０００４】
そうすると、ランドセルを背負った際には、肩ベルトの全体が児童の体に均等にフィットすることが困難となり、そのために、ランドセルが児童の後方側へ倒れてしまい、それにより、ランドセル本体の上方部分と児童の背中との間に隙間が生じてしまい、児童の肩の部分にランドセルの加重が集中してしまう。
【０００５】
このとき、入学間もない１年生の場合は、平均体重が２１ｋｇ前後であるのに対して、ランドセルが約１ｋｇ前後、教科書等が約１ｋｇ前後であり、体重の約１割前後を背負うことになるために、ランドセルが児童の背中にフィットしている場合でもランドセルの重さが苦痛となるが、更に、児童の背中とランドセルの背当て部分の間に隙間が生じてしまい、これにより児童が感じるランドセルの重さが大きくなってしまうと、通学が苦痛となってしまい、場合によっては学校へ行きたくなくなってしまうことも考えられる。
【０００６】
そこで、過去において、肩ベルトを上方向へ向いた状態でランドセルに取り付けることを可能にした取付環が提案されている。そして、この方法を採用すると、ランドセルは、児童の背中側へ向けた斜め上方へ引っ張られるために、後方に倒れて児童の背中とランドセルの背当て部分との間に隙間が生じることを防止することができる。
【先行技術文献】
【特許文献】
【０００７】
【特許文献１】特開２００４−８１８００号公報
【特許文献２】特開２００３−３３９４１９号公報
【特許文献３】実用新案登録第３１０５８４９号公報
【特許文献４】実用新案登録第３１１８０３１号公報
【考案の概要】
【考案が解決しようとする課題】
【０００８】
しかしながら、前述の従来の取付環では、製造コストが上がってしまうという問題点を指摘することができる。即ち、前記特許文献１乃至２では、左右の揺動レバーの上端に肩ベルトの上端を収容する箱状の挿入部を形成し、この挿入部内に肩ベルトの上端を嵌入して固定する構造であり、特許文献３では、ランドセルの背板の上部に揺動自在に取り付けられる合成樹脂製の左右一対の取り付け具に肩ベルトの上端を取り付ける連結環を固定するに際して、インサート成形の方法を採用しており、更に、特許文献４では、合成樹脂製の取り付け具の連結孔内に金属パイプを嵌入した構成であるために、いずれの場合も、製造工程が多くなってしまい、それにより製造コストも上がってしまうという問題点が考えられる。
【０００９】
そこで、本考案は、ランドセルの後方への倒れを防止可能であるとともに製造コストを抑えることを可能にしたランドセルの肩ベルト上端取付環を提供することを課題としている。
【課題を解決するための手段】
【００１０】
本考案のランドセルの肩ベルト上端取付環は、
ランドセルの背板の上部に取り付けられる取付ベースと、該取付ベースの正面側を覆う正面側ベースと、を備える中空の取付環本体と、
上方部分を前記取付環本体の上方に延出させた状態で前記取付環本体内に回動自在に連結された、左右方向に延びる連結孔を有する連結部が上端部に備えられた一対の連結用アームと、
前記取付環本体内に収容された、前記連結用アームの先端部を互いに近接する方向に付勢したスプリングと、
ランドセルの肩ベルトのそれぞれの上端が固定されるとともに、下辺部分が前記連結孔内に挿入された略三角形状の一対の連結環と、を有する背負い鞄の肩ベルト上端取付環において、
前記一対の連結アームを金属製にするとともに、前記連結部における連結孔を扁平な形状にし、
前記連結環における前記連結孔内に挿入される部分を前記連結孔の形状に合わせて扁平な形状にすることで、連結部に対して連結環が回動することを阻止した、ことを特徴としている。
【考案の効果】
【００１１】
本考案のランドセルの肩ベルト上端取付環は、左右方向に延びる連結孔を有する連結部が上端部に備えられた一対の連結用アームと、ランドセルの肩ベルトのそれぞれの上端が固定されるとともに下辺部分が連結アーム上端部の連結孔内に挿入された略三角形状の一対の連結環を有する背負い鞄の肩ベルト上端取付環において、一対の連結アームを金属製にするとともに、連結部における連結孔を扁平な形状にし、連結環における連結孔内に挿入される部分を連結孔の形状に合わせて扁平な形状にすることで、連結部に対して連結環が回動することを阻止したことを特徴としている。そのために、左右の揺動レバーの上端に肩ベルトの上端を収容する箱状の挿入部を形成してこの挿入部内に肩ベルトの上端を嵌入して固定する特許文献１乃至２に記載の発明や、ランドセルの背板の上部に揺動自在に取り付けられる取り付け具を合成樹脂製にするとともにこの取り付け具にインサート成形によって肩ベルトの上端を取り付ける連結環を固定する特許文献３に記載の発明、あるいは、合成樹脂製の取り付け具の連結孔内に金属パイプを嵌入する特許文献４に記載の発明と異なり、製造工数を少なくして製造コストを抑えながら、肩ベルトを上方向へ向いた状態でランドセルに取り付けることを可能にした取付環を得ることが可能である。
【図面の簡単な説明】
【００１２】
【図１】本考案のランドセルの肩ベルト上端取付環の実施例を正面から示した図である。
【図２】本考案のランドセルの肩ベルト上端取付環の実施例における取付環本体を上面から示した図である。
【図３】本考案のランドセルの肩ベルト上端取付環の実施例における連結孔を説明するための断面図である。
【図４】本考案のランドセルの肩ベルト上端取付環の実施例における連結孔を説明するための断面図である。
【考案を実施するための形態】
【００１３】
本考案のランドセルの肩ベルト上端取付環では、中空の取付環本体を有しており、この取付環本体は、ランドセルの背板の上部に取り付けられる取付ベースと、この取付ベースの正面側を覆う正面側ベースを備えて構成されている。
【００１４】
また、本考案のランドセルの肩ベルト上端取付環では、一対の連結アームを有しており、この連結アームはそれぞれ、左右方向に延びる連結孔を有する連結部が上端部に備えられ、上方部分を取付環本体の上方に延出させた状態で、取付環本体内に回動自在に連結されているとともに、取付環本体内に配置されたスプリングによって、先端部が互いに近接する方向に付勢されている。
【００１５】
更に、本考案の肩ベルト上端取付環では、ランドセルの肩ベルトのそれぞれの上端が固定される一対の連結環を有しており、この連結環は、略三角形状であるとともに、下辺部分が前記連結部の連結孔内に挿入されることで、前記連結アームに連結され、これにより、ランドセルの肩ベルトを本考案の肩ベルト上端取付環に連結することを可能としている。
【００１６】
そして、本考案においては、前記一対の連結アームを金属製にするとともに、前記連結部を扁平に加工することで、前記連結孔を扁平な形状にしており、一方、連結環における前記連結孔内に挿入される部分は、前記連結孔の形状に合わせて扁平な形状にしており、これにより、連結部に対して連結環が回動することを阻止している。
【００１７】
ここで、連結環における肩ベルトが固定される上辺部分に、肩ベルトの回動を阻止するための回動阻止部を突設するとよく、これにより、連結環に対して肩ベルトが回動することを阻止して、肩ベルトを上方向へ向いた状態でランドセルに取り付けることが可能である。
【００１８】
また、先端部に掛止環を有した掛止部を、下方部分を取付環本体内に挿入した状態で、上下方向に移動自在に取付環本体に係止するとよく、これにより、ランドセルをフック等に吊るすことが可能となる。
【実施例１】
【００１９】
本実施例のランドセルの肩ベルト上端取付環（以下単に「取付環」という。）の実施例について図面を参照して説明すると、図１は本実施例の取付環を正面から示した図である。
【００２０】
そして、図において１が本実施例の取付環であり、本実施例における取付環１は、中空の取付環本体を有している。即ち、図において２が取付環本体であり、また、図２は前記取付環本体２を上面から示した図であり、本実施例において前記取付環本体２は、変形の横長の長方形状としており、ランドセルの背板に取り付けられる取付ベース３と、この取付ベース３の正面側（反ランドセル側）に装着された正面側ベース４を有して構成されている。
【００２１】
また、前記正面側ベース４は、上辺部分を除いた周縁部に、取付ベース３側に向けて縁部５が突設されており、これにより、前記取付環本体２は中空としており、ビス等１９によってランドセルの背板に取り付けられている。
【００２２】
次に、図において６は、連結用アームである。即ち、本実施例の取付環１では一対の連結用アーム６を有しており、この連結用アーム６はそれぞれ、下端部近傍部分が、前記取付環本体２内において、軸７によって回動自在に前記取付環本体２に連結されている。
【００２３】
また、前記一対の連結用アーム６はそれぞれ、前記取付環本体２の上端に形成したスリット部９を貫通して、取付環本体２の上方に延出されており、その上端には、ベルトを取り付けるための連結部８が形成されている。
【００２４】
そして、前記連結部８は、円筒状又は扁平な円筒状としており、長手方向に向けて連結孔１５が形成されている。
【００２５】
また、前記スリット９の左右側の幅寸法は、前記連結用アーム６の幅寸法よりも長めの寸法に形成しており、これにより、連結用アーム６の左右方向への移動を、所定距離分だけ許容している。
【００２６】
次に、図において１０はスプリングである。即ち、本実施例の取付環１では、前記取付環本体２内にスプリング１０を収容しており、このスプリング１０によって、前記連結アーム６を、先端部が互いに近接する方向に付勢している。
【００２７】
そのため、この構成により、前記一対の連結用アーム７はそれぞれ、先端部が互いに離反する方向への圧力を加えることにより左右方向へ開き、この状態で前記圧力を解除することで、連結用アーム７を初期の状態に戻すことを可能としている。そしてこれにより、ランドセル背負う際にベルトの幅を広げることを可能とし、ランドセルを背負い易くしている。
【００２８】
次に、図において１１は、ランドセルの肩ベルトを前記取付環１に連結するための連結環である。そして、この連結環１１は、金属製の丸棒材を略三角形状に変形して構成されており、下辺部分１２と、この下辺部分１２の一端に斜め上方に向けて連設された上辺部分１３と、前記下辺部分１２の他端に上方に連設されるとともに先端部分で前記上辺部分１３の先端部分に連結された垂直辺部分１４とを有しており、下辺部分１２が前記連結部８における前記連結孔１５内に挿入され、上辺部分１３にランドセルの肩ベルトのそれぞれの上端が固定され、これにより、肩ベルトが連結用アーム６に連結される。
【００２９】
ここで、前記連結環１１と前記連結用アーム６との連結構造について説明すると、図３は前記連結部８の長手方向に見た断面構造を示す断面図、図４は前記連結環１１と連結用アーム６における連結部８およびその近傍の構造を示した断面図であり、図において前記連結部８に形成した連結孔１５は、縦長の楕円形状に形成している。そして、本実施例においては、前記連結用アーム６を金属製としており、円筒状とした前記連結部８を扁平に加工することで、前記連結孔１５を縦長の楕円状にしている。
【００３０】
一方、本実施例においては、前記連結環１１の下辺部分１２における前記連結孔１５内に挿入される部分もまた、前記連結孔１５の形状に合わせて縦長の楕円状に成形するとともに、連結孔１５内に連結環１１の下辺部分を嵌入しており、これによって、連結環１１が連結部８に対して回動してしまうことを阻止している。なお、本実施例において前記連結環１１は、下辺部分１２は中央部分近傍で切断されており、前記連結孔１５内の両側から連結環１１の下辺部分の端部をそれぞれ挿入していき、それにより、連結孔１５に連結環１１を連結している。
【００３１】
このように、本実施例においては、前記連結用アーム６を金属製にするとともに、先端の円筒状の連結部８を扁平に加工することで連結孔１５を縦長の楕円状にし、この連結孔１５内に、連結孔１５の形状に合わせて縦長の楕円状に成形した連結環１１の下辺部分１２を嵌入することで、連結用アーム６に連結環１１を連結しているため、箱状の挿入部を形成して肩ベルトの上端を連結する方法や、合成樹脂製の取り付け具にインサート成形によって連結環を固定する方法や、あるいは、合成樹脂製の取り付け具の連結孔内に金属パイプを嵌入して連結環を連結する方法と異なり、製造工数を少なくすることができ、それにより、製造コストを抑えることが可能である。
【００３２】
次に、図において１６は回動阻止辺であり、本実施例の取付環１では、この回動阻止辺１６によって、肩ベルトを上方向へ向いた状態で取付環に取り付けることを可能にしている。即ち、本実施例の取付環１では、金属製の板状の回動阻止辺１６を前記連結環１１の上辺部分に溶接、接着等によって固着しており、肩ベルトを上辺部分１３に連結する際には、肩ベルトの上端部分で前記回動阻止辺１６を被覆するようにして、肩ベルトの上端部分を、前記上辺部分１３を掛け回して、その後、回動阻止辺１６を挟み込んだ状態で、回動阻止辺１６と肩ベルトをリベット等で貫通して固定し、前記連結環１１に肩ベルトの上端部分を固定している。
【００３３】
従って、実施例の取付環１に連結された肩ベルトでは、回動阻止辺１６の存在によって、肩ベルトが連結環１１に対して回動することが阻止されるとともに、前述のように、連結環１１は連結用アーム６に対して回動することが阻止されているため、肩ベルトを上方向へ向いた状態で取付環に取り付けることが可能であり、それにより、ランドセルを児童の背中側へ向けた斜め上方へ引っ張ることで、児童の背中とランドセルの背当て部分との間に隙間が生じることを防止することができる。
【００３４】
なお、本実施例の取付環１は、ランドセルをフック等に吊るすための掛止部１７を有しており、この掛止部１７は、無端の縦長の長円状として上端部分を大径の掛止環１８としている。そして、掛止環１８が取付環本体の上方に突出する状態で下方部分が取付環本体２内に、上方への移動自在に挿入され、更に、取付環本体内において、掛止部１７を貫通したビス等の軸部材１９によって、取付環本体２からの飛び出しを阻止されている。
【００３５】
次に、このように構成される本実施例の取付環１の作用について説明すると、本実施例の取付環１は、一対の連結用アーム６、スプリング１０、連結環１１、掛止部１７を具備した状態で、取付環本体２がビス等１９によってランドセルの背板の上部に取り付けられる。そして、それとともに、前述したように、連結環１１に、回動阻止辺１６を挟み込んだ状態でランドセルの肩ベルトの上端が連結される。
【００３６】
そうすると、前述したように、連結環１１は連結用アーム６の連結部に対する回動が阻止され、更に、肩ベルトは回動阻止辺１６によって連結環１１に対する回動が阻止されるために、それにより、肩ベルトを上方向へ向いた状態で取付環に取り付けることが可能である。
【００３７】
そしてこのとき、本実施例においては、前記連結用アーム６を金属製にするとともに、連結用アーム先端の円筒状の連結部８を扁平に加工することで連結孔１５を縦長の楕円状にし、この連結孔１５内に、連結孔１５の形状に合わせて縦長の楕円状に成形した連結環１１の下辺部分１２を嵌入することで、連結用アーム６に連結環１１を連結しているため、箱状の挿入部を形成して肩ベルトの上端を連結する方法や、合成樹脂製の取り付け具にインサート成形によって連結環を固定する方法や、あるいは、合成樹脂製の取り付け具の連結孔内に金属パイプを嵌入して連結環を連結する方法と異なり、製造工数を少なくすることができ、それにより、製造コストを抑えることが可能である。
【００３８】
従って、本実施例の取付環によれば、肩ベルトを上方向へ向いた状態でランドセルに取り付けることでランドセルの後方への倒れを防止可能であるとともに、製造工数を少なくして製造コストを抑えることも可能である。
【００３９】
なお、前述したように、本実施例では、連結孔１５を縦長の楕円状にするとともに、前記連結環１１の下辺部分１２における前記連結孔１５内に挿入される部分もまた前記連結孔１５の形状に合わせて縦長の楕円状に成形しているが、本考案の取付環１では、必ずしも、連結孔１５及び連結環１１の下辺部分１２における前記連結孔１５内に挿入される部分を縦長の楕円状にする必要は無く、連結環１１が連結部８に対して回動してしまうことを阻止可能な形状であればいずれの形状でもよく、従って、例えば横長の楕円状にしてもよく、またその他の形状にしてもよい。
【産業上の利用可能性】
【００４０】
本考案では、製造コストを抑えながら、肩ベルトを上方向へ向いた状態でランドセルに取り付けることが可能な取付環を得ることができるために、ランドセルの肩ベルト上端取付環の全般に適用可能である。
【符号の説明】
【００４１】
１    取付環
２    取付環本体
３    取付ベース
４    正面側ベース
５    縁部
６    連結用アーム
７    連結用アームを軸支する軸
８    連結部
９    スリット
１０    スプリング
１１    連結環
１２    下辺部分
１３    上辺部分
１４    垂直辺部分
１５    連結孔
１６    回動阻止辺
１７    掛止部
１８    掛止環
１９    ビス
【図１】
0003189741.tif 000003
【図２】
0003189741.tif 000004
【図３】
0003189741.tif 000005
【図４】
0003189741.tif 000006